(57)【特許請求の範囲】
【請求項１】
ディーゼルエンジンのクランクピンに連接棒を介して連結するピストンを有するシリンダーと、前記シリンダーの燃焼室に連通する排気管と、前記排気管に介設されたバルブとを備えたディーゼルエンジンにおいて、
前記クランクピンと前記連接棒とが回動自在に接続するマルチリンクと、前記マルチリンクに一端部が回動自在に接続し、かつ他端部が上下に移動可能な揺動節支点に回動自在に固定された揺動節とを有し、
排気ブレーキの作動に際し、前記バルブによる前記排気管の閉止に連動して前記揺動節支点を移動させることで、前記ピストンの上死点と下死点との距離を増加させることを特徴とするディーゼルエンジン。
【請求項２】
前記マルチリンクが三節リンクであって、前記クランクピンと前記連接棒と前記揺動節とが前記三節リンクの各頂部にそれぞれ接続する請求項１に記載のディーゼルエンジン。
【発明の詳細な説明】
【技術分野】
【０００１】
本発明は、ディーゼルエンジンに関し、更に詳しくは、排気圧力を高めることなく制動力を強化できるディーゼルエンジンに関する。
【背景技術】
【０００２】
一般に、ディーゼルエンジンを搭載したトラックやバスなどの大型車両には、十分な制動力を得るために、通常の摩擦ブレーキに加えて補助ブレーキが装備されている。この補助ブレーキとしては、圧縮開放ブレーキ、排気ブレーキやリターダなどがある。
【０００３】
一方、近年の交通安全意識の高まりや車両の大型化及び高速化により、大型車両の制動力を強化することが求められている（例えば、特許文献１を参照）。このことは、補助ブレーキの１つである排気ブレーキについてもあてはまる。
【０００４】
排気ブレーキは、ディーゼルエンジンの排気圧力を高めることでエンジンのポンプ損失及び吸収トルクを大きくして制動力を得るものである。このような排気ブレーキにおいて、より大きな吸収トルクを発生させて制動力を強化するには、排気圧力を一層高める必要がある。
【０００５】
しかし、ディーゼルエンジンの低速域では、排気圧力を高めることは非常に困難であるため、十分な制動力を確保することができないという問題がある。このような問題を解決するには、排気管の途中にバルブを設けて、それを絞ることで排気圧力を高めることが考えられるが、過度に排気圧力を高めるとシリンダ内の温度が上昇し、冷却系の負担が大きくなってしまう。
【先行技術文献】
【特許文献】
【０００６】
【特許文献１】特開平９−３２４６５８号公報
【発明の概要】
【発明が解決しようとする課題】
【０００７】
本発明の目的は、排気圧力を高めることなく制動力を強化できるディーゼルエンジンを提供することにある。
【課題を解決するための手段】
【０００８】
上記の目的を達成する本発明のディーゼルエンジンは、ディーゼルエンジンのクランクピンに連接棒を介して連結するピストンを有するシリンダーと、前記シリンダーの燃焼室に連通する排気管と、前記排気管に介設されたバルブとを備えたディーゼルエンジンにおいて、前記クランクピンと前記連接棒とが回動自在に接続するマルチリンクと、前記マルチリンクに一端部が回動自在に接続し、かつ他端部が上下に移動可能な揺動節支点に回動自在に固定された揺動節とを有し、排気ブレーキの作動に際し、前記バルブによる前記排気管の閉止に連動して前記揺動節支点を移動させることで、前記ピストンの上死点と下死点との距離を増加させることを特徴とするものである。
【０００９】
上記のディーゼルエンジンにおいては、マルチリンクを三節リンクから構成し、クランクピンと連接棒と揺動節とが三節リンクの各頂部にそれぞれ接続するようにする。
【発明の効果】
【００１０】
本発明のディーゼルエンジンによれば、従来のディーゼルエンジンに、マルチリンク、揺動節及び揺動節支点を設けて、その揺動節支点を移動することでピストンの上死点と下死点との距離を増加することができるので、排気圧力を高めることなく制動力を強化することができる。
【図面の簡単な説明】
【００１１】
【図１】本発明の実施の形態からなるディーゼルエンジンにおいて、ピストンが下死点に位置する場合の構成図である。
【図２】図１のディーゼルエンジンにおいて、ピストンが上死点に位置する場合の構成図である。
【図３】ディーゼルエンジンの動作を説明する構成図である。
【図４】ピストンの上死点と下死点との距離を変化させたときのクランク角度とシリンダ内の容積との関係を表すグラフである。
【図５】ピストンの上死点と下死点との距離を変化させたときのシリンダ内の容積とシリンダ内の圧力との関係を表すグラフである。
【発明を実施するための形態】
【００１２】
以下に、本発明の実施の形態について、図面を参照して説明する。
【００１３】
図１は、本発明の実施形態からなるディーゼルエンジンの一部を示す。
【００１４】
このディーゼルエンジンは排気ブレーキを備えており、図１はシリンダ１内を上下に往復動するピストン２が下死点に位置する場合を示している。
【００１５】
ディーゼルエンジンのシリンダ１の上部には、シリンダ１内の燃焼室３に吸気口４及び排気口５を通じてそれぞれ連通する吸気管６及び排気管７が取り付けられている。それらの吸気口４及び排気口５は、それぞれ吸気弁８及び排気弁９により開閉される。また、排気管７の途中には、排気管７を開閉するバルブ１０が設置されている。
【００１６】
排気ブレーキの作動に際しては、バルブ１０により排気管７を閉止してシリンダ１内の排気圧力を高めることで、大きな吸収トルクを発生させて制動力を得るようになっている。
【００１７】
シリンダ１内のピストン２は、ピストンピン１１に連結する連接棒１２を介してマルチリンクと接続されている。マルチリンクは略三角形状の金属板からなる三節リンク１３から構成され、連接棒１２の端部が三節リンク１３の頂部の１つに回動自在に接続している。そして、三節リンク１３の残りの２つの頂部には、クランクピン１４と、棒状体からなる揺動節１５の一端部とがそれぞれ回動自在に接続している。また、揺動節１５の他端部は、上下方向及び左右方向に連続的に移動可能な揺動節支点１６に固定されている。
【００１８】
このように、連接棒１２、クランクピン１４及び揺動節１５が三節リンク１３に回動自在に接続しているため、図２に示すように、ピストン２が上死点に位置する場合でも、三節リンク１３を介在して、それぞれが適切な位置に変動するので、ピストン２の往復動を妨げることはない。
【００１９】
このようなディーゼルエンジンにおいて、排気ブレーキの作動に際して車両の制動力を強化するには、バルブ１０により排気管７を閉止するのと連動して揺動節支点１６を適当な方向へ移動させて、その位置で保持する。
【００２０】
図３に示す例では、揺動節支点１６を上方へ移動させると、三節リンク１３がクランク軸の軸中心であるクランクジャーナル１７の回りに回転（図３では時計回りに回転）して、各部材が実線で示す位置から一点鎖線で示す位置へ変位することで、下死点におけるピストン２の位置が下方へ移行するのでピストン２の上死点と下死点との距離が増加する。図３では、ピストン２の上死点と下死点との距離の増加分をＷで示している。
【００２１】
なお、図３の例では、揺動節支点１６を上方に移動させているが、各部の寸法などにより、揺動節支点１６を左右方向や円周方向などに移動して、ピストン２の上死点と下死点との距離を増加させる場合もある。
【００２２】
図４、５は、ピストン２の上死点と下死点との距離を変化させた場合における、シリンダ１内の容積及びシリンダ１内の圧力の変化をそれぞれ示したものである。
【００２３】
図４からは、ピストン２の上死点と下死点との距離が長くなると、排気行程においてシリンダ１内の容積が増加することが分かる。また、図５からは、ピストン２の上死点と下死点との距離が長くなると、ポンプ損失が増加（図５の斜線部）するので制動力が上昇することが分かる。
【００２４】
このように、本発明のディーゼルエンジンを用いてピストン２の上死点と下死点との距離を長くすることで、排気圧力を高めることなく制動力を強化できることが分かる。また、排気圧力が高まることはないため、シリンダ１内の温度の上昇により冷却系に負担が加わることはない。
【符号の説明】
【００２５】
１  シリンダ
２  ピストン
３  燃焼室
４  吸気口
５  排気口
６  吸気管
７  排気管
８  吸気弁
９  排気弁
１０  バルブ
１１  ピストンピン
１２  連接棒
１３  三節リンク
１４  クランクピン
１５  揺動節
１６  揺動節支点
１７  クランクジャーナル
【図１】
0005874236.tif 000002
【図２】
0005874236.tif 000003
【図３】
0005874236.tif 000004
【図４】
0005874236.tif 000005
【図５】
0005874236.tif 000006